(57)【要約】【課題】トップケースの組み付け性に優れ、かつ、音漏れ、ＥＭＩ及びＥＳＤを低減することができる光ディスク装置を提供する。【解決手段】トップケースは、一方の端部からトレイの側面に沿って垂下するタブ、他方の端部からトレイの他方の側面に沿って垂下する側面、及び、側面から内側に延びる爪部を有する。ボトムケースは、一方の側面の上端を内側に折り返して形成される下側折り返し部、及び、他方の側面に開口し爪部が係合する切欠きを有する。タブは、内側に向けて突出する突起を有する。下側折り返し部は、トレイの側面に沿って上下方向に延び、トップケースをボトムケースに組み付けた状態で突起が接触するバネ部、及び、バネ部の上部を内側に折り返して形成され、トップケースをボトムケースに組み付ける時に突起が接触する曲げ部を有する片持ちバネを有する。【選択図】図１
2013008408.tif 000002
【特許請求の範囲】
【請求項１】
光ディスク装置であって、
光ディスクが装着されるトレイと、
前記トレイの上面を覆うトップケース、及び、前記トレイの側面及び下面を覆うボトムケースで構成され、前記トレイを収容するケースアセンブリと、
を備え、
前記トップケースは、一方の端部から前記トレイの側面に沿って垂下するタブ、他方の端部からトレイの他方の側面に沿って垂下する側面、及び、前記側面から内側に延びる爪部を有し、
前記ボトムケースは、一方の側面の上端を内側に折り返して形成される下側折り返し部、及び、他方の側面に開口し前記爪部が係合する切欠きを有し、
前記タブは、内側に向けて突出する突起を有し、
前記下側折り返し部は、前記トレイの側面に沿って上下方向に延び、前記トップケースを前記ボトムケースに組み付けた状態で前記突起が接触するバネ部、及び、前記バネ部の上部を内側に折り返して形成され、前記トップケースを前記ボトムケースに組み付ける時に前記突起が接触する曲げ部を有する片持ちバネを有する、
ことを特徴とする光ディスク装置。
【請求項２】
請求項１に記載の光ディスク装置であって、
前記片持ちバネは、曲げ部が前記下側折り返し部に接続し、下端が自由端である、
ことを特徴とする光ディスク装置。
【請求項３】
請求項１又は２に記載の光ディスク装置であって、
前記突起及び片持ちバネは、前記トップケースの前記側面の幅方向中央に対向する位置に設けられる、
ことを特徴とする光ディスク装置。
【発明の詳細な説明】
【技術分野】
【０００１】
本発明は、光ディスク装置に関し、特に、トレイを収容するケースアセンブリの構造に関する。
【背景技術】
【０００２】
ＣＤ（Compact Disc）、ＤＶＤ（Digital Versatile Disc）、ＢＤ（Blu-ray Disc）等の光ディスクに情報を読み書きする光ディスク装置は、レーザー光を用いて光ディスクにデータを読み書きする光ピックアップユニット（以下、「ＯＰＵ」という。）と、ＯＰＵを支持し、光ディスクが装着されるトレイと、トレイをスライド可能に収容するケースアセンブリと、を備える。
【０００３】
ケースアセンブリは、トレイの側面及び下面を覆うボトムケースにトレイの上面を覆うトップケースを組み付けることによって構成される。
【先行技術文献】
【特許文献】
【０００４】
【特許文献１】特開２００９−６４５３６号公報
【発明の概要】
【発明が解決しようとする課題】
【０００５】
ボトムケースに対するトップケースの組み付け性を向上させ、かつ、音漏れ、ＥＭＩ（電磁干渉）及びＥＳＤ（静電気放電）を低減するには、両者の取付けガタを無くすことが重要である。
【０００６】
しかしながら、取付けガタを、両者のはめあいのみで無くそうとすると、各ケースに要求される加工精度が高くなり、コスト面で不利である。
【０００７】
特許文献１では、一方のケースに片持ちバネ、他方のケースに突起を形成し、組み付け時に両者を係合させることによって、取付けガタを無くしている。
【０００８】
しかしながら、この構成では、トップケースをボトムケースに組み付ける際に作業者が受ける抵抗が片持ちバネの力に依存し、適度な抵抗感を得られるように調整するのが難しかった。
【０００９】
本発明は、トップケースの組み付け性に優れ、かつ、音漏れ、ＥＭＩ及びＥＳＤを低減することができる光ディスク装置を提供することを目的とする。
【課題を解決するための手段】
【００１０】
本発明の代表的な一例を示せば以下の通りである。すなわち、光ディスク装置は、光ディスクが装着されるトレイと、前記トレイの上面を覆うトップケース、及び、前記トレイの側面及び下面を覆うボトムケースで構成され、前記トレイを収容するケースアセンブリと、を備え、前記トップケースは、一方の端部から前記トレイの側面に沿って垂下するタブ、他方の端部からトレイの他方の側面に沿って垂下する側面、及び、前記側面から内側に延びる爪部を有し、前記ボトムケースは、一方の側面の上端を内側に折り返して形成される下側折り返し部、及び、他方の側面に開口し前記爪部が係合する切欠きを有し、前記タブは、内側に向けて突出する突起を有し、前記下側折り返し部は、前記トレイの側面に沿って上下方向に延び、前記トップケースを前記ボトムケースに組み付けた状態で前記突起が接触するバネ部、及び、前記バネ部の上部を内側に折り返して形成され、前記トップケースを前記ボトムケースに組み付ける時に前記突起が接触する曲げ部を有する片持ちバネを有する、ことを特徴とする。
【発明の効果】
【００１１】
本発明の実施形態によると、突起が片持ちバネの曲げ部を乗り越える時の反力によって適度な抵抗感が得られ、トップケースの組み付け性が向上する。反力は突起の高さに依存し、抵抗感を狙った強さに容易かつ精度よく調整することができる。
【００１２】
突起が曲げ部を乗り越えた後は、バネ部から突起に力が作用してトップケースとボトムケースとの取付けガタが無くなり、音漏れ、ＥＭＩ及びＥＳＤを低減することができる。
【図面の簡単な説明】
【００１３】
【図１】本発明の実施形態に係る光ディスク装置の斜視図である。
【図２】図１の部分拡大図である。
【図３】図１の光ディスク装置を反対側から見た斜視図である。
【図４Ａ】トップケースの組み付け方法を説明するための図である。
【図４Ｂ】トップケースの組み付け方法を説明するための図である。
【図４Ｃ】トップケースの組み付け方法を説明するための図である。
【図５Ａ】トップケースの組み付け方法を説明するための図である。
【図５Ｂ】トップケースの組み付け方法を説明するための図である。
【発明を実施するための形態】
【００１４】
以下、添付図面を参照しながら本発明の実施形態について説明する。
【００１５】
図１は、本発明の実施形態に係る光ディスク装置１００の斜視図、図２は、図１の枠Ａで囲んだ部分を拡大した部分拡大図、図３は、図１の光ディスク装置１００を反対側から見た斜視図である。いずれも、光ディスク装置１００の内部構造が分かるように、トップケース３１を開いた状態で示している。
【００１６】
光ディスク装置１００は、光ピックアップユニット（以下、「ＯＰＵ」という。）１と、光ディスクが装着されるトレイ２と、トレイ２を収容するケースアセンブリ３と、を備える。
【００１７】
ＯＰＵ１は、レーザー光を用いて光ディスクにデータを読み書きする機構である。ＯＰＵ１は、光ディスクの径方向に移動可能にトレイ２に支持される。
【００１８】
ケースアセンブリ３は、トレイ２の上面を覆う平板状のトップケース３１と、トレイ２の側面及び下面を覆うボトムケース３２と、を有する。ボトムケース３２は、図中上側及び右側が開いた箱形である。ボトムケース３２にトップケース３１を組み付けると、図中右側に開口部３３が形成される。
【００１９】
トレイ２は、ケースアセンブリ３の内部に敷設された図示しない二本のレールに沿ってスライドすることができ、図中右側にスライドすると開口部３３を通ってケースアセンブリ３の外側まで移動することができる。トレイ２の右側には図示しないベゼル（フェイスパネル）が取り付けられる。
【００２０】
トップケース３１は、一方の端部からトレイ２の側面に沿って垂下する上側折り返し部３１１、他方の端部からトレイ２の他方の側面に沿って垂下する側面３１２、及び、側面３１２から内側に延びる爪部３１３(図３)を有する。
【００２１】
上側折り返し部３１１は、側面３１２の幅方向中央（好ましくは、幅方向の寸法を二等分した位置）に対向する位置に、さらに下方に垂下するタブ３５を有している。タブ３５の内面には、内側に向けて突出する円筒形状の突起３６が形成される。突起３６は、プレス成形等によって形成される。
【００２２】
ボトムケース３２は、一方の側面３２１の上端を内側に折り返して形成される下側折り返し部３２２と、他方の側面に開口し爪部３１３が係合する切欠き３２３(図３)を有する。
【００２３】
下側折り返し部３２２は、突起３６に対応する位置に片持ちバネ３７を有する。片持ちバネ３７は、トレイ２の側面に沿って上下方向に延び突起３６が当接するバネ部３７１、及び、バネ部３７１の上部が内側に折り返されて形成され、下側折り返し部３２２に接続する曲げ部３７２を有するＬ字形状のバネである。
【００２４】
続いて、トップケース３１をボトムケース３２に組み付ける手順について説明する。
【００２５】
まず、図３に示すように、ボトムケース３２の切欠き３２３にトップケース３１の爪部３１３を係合させる。図４Ａはこの状態の突起３６を通る横断面を示している。
【００２６】
次に、爪部３１３と切欠き３２３との係合部を中心にトップケース３１を回転させ、上側折り返し部３１１及びタブ３５を下側折り返し部３２２に近づけると、突起３６が片持ちバネ３７の曲げ部３７２に接触する（図４Ｂ）。この状態からさらにトップケース３１に下向きの力を加えると、トップケース３１に反力が作用し、突起３６が曲げ部３７２を乗り越える際に、適度な抵抗感が得られる。
【００２７】
図５Ａは、突起３６が曲げ部３７２に接触した状態を示している。突起３６の移動軌跡と曲げ部３７２は、図中Ｌで示す量だけ重なっている。突起３６が曲げ部３７２を乗り越えるためには、突起３６と曲げ部３７２との接触部位において、タブ３５及び片持ちバネ３７の変形量の合計がＬ以上になる必要があり、これによって、適度な反力がトップケース３１に作用する。
【００２８】
反力の大きさを調整するには、突起３６の高さを調整すればよい。突起３６はプレス成形等で比較的高い精度で狙った高さに成形することができるので、一度適切な抵抗が得られる突起３６の高さが分かれば、以後高さをそれに揃えることによって、反力（抵抗感）を狙った大きさに容易にかつ精度よく調整することができる。
【００２９】
なお、曲げ部３７２の表面は滑らかに湾曲しているので、突起３６が曲げ部３７２を乗り越える際に不要な引っかかりが生じることはない。
【００３０】
突起３６が曲げ部３７２を乗り越えると、トップケース３１は図４Ｃ及び図５Ｂに示す閉位置に向けて移動する。
【００３１】
片持ちバネ３７は上端が下側折り返し部３２２に接続し、下端が自由端であるので、突起３６と片持ちバネ３７との接触位置が下がるにつれて突起３６に作用する力が弱まり、トップケース３１を閉位置までスムーズに移動させることができる。
【００３２】
トップケース３１が閉位置まで移動した状態では、下側折り返し部３２２が上側折り返し部３１１によって覆われ、また、突起３６が片持ちバネ３７によって外側に押され、トップケース３１とボトムケース３２の取付けガタが無くなる。
【００３３】
そして、以後、トップケース３１は、作業者が手で押さえなくても閉位置に安定して保持される。これは、トップケース３１がボトムケース３２から離れようとすると片持ちバネ３７から受ける反力が増大し、かつ、トップケース３１がボトムケース３２から外れるためには突起３６が曲げ部３７２を乗り越える必要があり、トップケース３１は外力が作用しない限り閉位置にとどまろうとするからである。
【００３４】
続いて、本実施形態の作用効果について説明する。
【００３５】
トップケース３１を組み付ける時は、まず、突起３６が曲げ部３７２に接触し、突起３６が曲げ部３７２を乗り越える時の抵抗によって、適度な抵抗感が得られる。この抵抗感は、突起３６が曲げ部３７２を乗り越えると消失するので、作業者はトップケース３１がボトムケース３２に正しく組み付けられたことを認識することができる。
【００３６】
組み付け時の反力は突起３６の高さによって決定され、かつ、プレス成形等で加工される突起３６の高さ方向の寸法精度は高いことから、組み付け時の抵抗感を狙った強さに容易にかつ精度よく調整することができる。
【００３７】
そして、突起３６が曲げ部３７２を乗り越え、トップケース３１が閉位置に移動した状態では、突起３６が片持ちバネ３７によって外側に押され、トップケース３１とボトムケース３２との取付けガタが無くなる。
【００３８】
したがって、本実施形態によれば、トップケース３１の組み付け性を向上させつつ、音漏れ、ＥＭＩ及びＥＳＤを低減することができる。
【００３９】
また、片持ちバネ３７は、曲げ部３７２が下側折り返し部３２２に接続し、下端が自由端の片持ちバネであるので、上記通り、トップケース３１を閉位置までスムーズに移動させることができ、また、トップケース３１が閉位置まで移動するとその位置で安定し、これによっても組み付け性が向上する。
【００４０】
なお、片持ちバネ３７は、バネ部３７１をボトムケース３２の側面３２１に接続し、曲げ部３７２側を自由端としてもよい。
【００４１】
また、突起３６及び片持ちバネ３７をトップケース３１の側面３１２の幅方向中央に対向する位置に設けたので、トップケース３１には、反対側の側面３１２及び突起３６に力がバランスよく作用し、回転モーメントが発生せず、組み付け後のトップケース３１の姿勢が安定する。
【符号の説明】
【００４２】
２      トレイ
３      ケースアセンブリ
３１    トップケース
３２    ボトムケース
３５    タブ
３６    突起
３７    片持ちバネ
１００  光ディスク装置
３１２  側面
３１３  爪部
３２３  切欠き
３７１  バネ部
３７２  曲げ部
【図１】
2013008408.tif 000003
【図２】
2013008408.tif 000004
【図３】
2013008408.tif 000005
【図４Ａ】
2013008408.tif 000006
【図４Ｂ】
2013008408.tif 000007
【図４Ｃ】
2013008408.tif 000008
【図５Ａ】
2013008408.tif 000009
【図５Ｂ】
2013008408.tif 000010